(57)【要約】  本発明は、前方側光学表面(21)、後方側光学表面(22)及び光軸(23)を含む三焦点人工眼レンズ(20)に関し、前方側光学表面(21)と後方側光学表面(22)の少なくとも一方は、３つの有用な焦点と少なくとも部分的に回折性のプロファイルとを有する１つの光学要素を含んでいる。この３つの有用な焦点は、前記回折性プロファイルの０次及び１次の回折次数に属する焦点（31,32）と、０次回折次数と１次回折次数との間の高められた回折性副ピーク（副極大）に属する焦点(33)とに対応する。本発明は前記三焦点人工眼レンズの製造方法にも関する。
2021511845.tif 000002
【特許請求の範囲】
【請求項１】
前方側光学表面（２１）、後方側光学表面（２２）及び光軸（２３）を含む三焦点人工眼レンズ（２０）であって、前方側光学表面（２１）と後方側光学表面（２２）の少なくとも一方は、３つの有用な焦点と少なくとも部分的に回折性プロファイルとを有する１つの光学要素を含んでいる人工眼レンズにおいて、前記３つの有用な焦点が、前記回折性プロファイルの０次及び１次の回折次数に属する焦点（３１、３２）と、０次回折次数と１次回折次数との間での高められた回折性副ピークに属する１つの焦点（３３）とに対応することを特徴とする、三焦点人工眼レンズ。
【請求項２】
回折性プロファイル（２５）の中心ゾーン（２７）の最大位相ずれがλ／２より大きくなるように前記サイド極大が高められ、ここで、位相ずれとは、回折性プロファイル（２５）の中心ゾーンの基点（３０ａ）により定められる基底に対する位相のずれを意味する、請求項１に記載の人工眼レンズ。
【請求項３】
複数の移相ゾーン（２８）のゾーン境界間の個々の面積（２９）は大きさが同じであり、前記回折性プロファイルの中心ゾーン（２７）の基点（３０ａ）を結んでいる第１のアークは、この第１のアークに平行な第２のアークを有し、λ／２の最大位相ずれを有する理論的中心ゾーン（２７’）により境界が定められる面積（２９’）が個々の移相ゾーン（２８）が占める面積（２９）と同じになるように選択されることを特徴とする、請求項２に記載の人工眼レンズ。
【請求項４】
中心ゾーン（２７）の最大位相ずれがλ／２より大きく、λより小さいことを特徴とする、請求項２又は３のいずれか１項に記載の人工眼レンズ。
【請求項５】
中心ゾーン（２７）の最大位相ずれがλ／２より大きく、３／４λ以下であることを特徴とする、請求項２又は３のいずれか１項に記載の人工眼レンズ。
【請求項６】
前記中心ゾーン（２７）の外側の回折性プロファイルがアポダイズされていることを特徴とする、請求項２〜５のいずれか１項に記載の人工眼レンズ。
【請求項７】
周辺の純粋に屈折性の部分が前記回折性プロファイル（２５）につながっていることを特徴とする、請求項２〜５のいずれか１項に記載の人工眼レンズ。
【請求項８】
前方側光学表面（２１）、後方側光学表面（２２）及び光軸（２３）を含んでいる人工眼レンズである三焦点人工眼レンズ（２０）であって、前記前方側光学表面（２１）と後方側光学表面（２２）の少なくとも一方は、３つの有用な焦点（遠方視、中間視及び近方視の焦点）と少なくとも部分的に回折性プロファイルとを有する１つの光学要素を含んでいる三焦点人工眼レンズの製造方法であって、前記遠方視焦点及び近方視焦点が前記回折性プロファイルの０次及び１次の回折次数に属する焦点（３１、３２）に対応し、前記中間視焦点が０次回折次数と１次回折次数との間の高められた回折性副ピークに属する焦点（３３）に対応するように前記回折性プロファイルを形づくることを特徴とする方法。
【請求項９】
λ／２より大きな最大位相ずれ（ここで、位相ずれとは、回折性プロファイルの基点（３０ａ）により定められる基底に対する位相のずれを意味する）で回折性プロファイルの中心ゾーン（２７）を作成することにより前記回折性副ピークを高めることを特徴とする、請求項８に記載の方法。
【請求項１０】
１つの理論的中心ゾーンとその外側の複数の理論的移相ゾーンとを有し、該複数の理論的移相ゾーンのゾーン境界間の面積の大きさが理論的中心ゾーンにより境界が定まる面積の大きさと同じである二焦点理論的回折性プロファイルから出発して、この理論的中心ゾーンの最大位相ずれはλ／２であり、前記理論的回折性プロファイルの０次及び１次の回折次数に属する２つの有用な焦点が、製造すべき人工眼レンズの回折性プロファイル（２５）の０次及び１次の回折次数に属する焦点（３１、３２）と実質的に一致するように前記回折性プロファイルを設計し、かつ、前記回折性プロファイル（２５）の中心ゾーン（２７）を、前記理論的中心ゾーンに比べて、前記中心ゾーン（２７）の境界を結んでいる第１のアークが理論的中心ゾーンの第２のアークに平行に保持されるようにして該中心ゾーンの位相ずれがλ／２より大きくなるように増大させ、この中心ゾーンの外側の複数の移相ゾーン（２８）は、理論的移相ゾーンに比べて、移相ゾーン（２８）のゾーン境界間の面積が変化しないままとなるように光軸（２３）に垂直な方向にシフトさせることを特徴とする、請求項９に記載の方法。
【請求項１１】
前記中心ゾーン（２７）の最大位相ずれを、λ／２より大きく、λより小さくなるようにすることを特徴とする、請求項９又は１０のいずれか１項に記載の方法。
【請求項１２】
前記中心ゾーン（２７）の最大位相ずれを、０.５２λ〜０.８λの範囲内に入るようにすることを特徴とする、請求項９又は１０のいずれか１項に記載の方法。
【発明の詳細な説明】
【技術分野】
【０００１】
本発明の対象は三焦点人工眼レンズに関し、この人工眼レンズは水晶体嚢、毛様溝若しくは前眼房に移植してもよく、又はコンタクトレンズであってもよく、さらにはインレー若しくはアンレー（onlay）技術を用いて角膜に移植できる人工レンズであってもよい。本発明の対象はまた、上記三焦点人工眼レンズの製造方法にも関する。
【背景技術】
【０００２】
ヒトの水晶体は電磁スペクトルの可視域の大部分を透過させるが、老齢、外傷又は過大な紫外線若しくはＸ線被爆の結果としてヒトの眼は徐々に濁るようになり、この状態は白内障と呼ばれる。さらに、先天性白内障も存在し、これは遺伝性であるか、若しくは妊娠中の感染の結果として発症しうる。現状では、白内障の唯一の効果的な治療手段は、濁った水晶体を取り除いて、移植した人工眼レンズで水晶体の屈折力を取り戻すことである。
【０００３】
人工眼レンズの移植の別の適応症は、眼鏡、コンタクトレンズ又は角膜レーザー手術ではその補正が不可能か、部分的にしか可能ではない程度まで進んだ屈折異常であろう。この処置は単に屈折レンズ交換と呼ばれる。
【０００４】
１９８０年代の後半まで、移植に用いる人工眼レンズは、所定距離（通常は４メートル以上離れた距離）で対象者の網膜上に鮮明な像を形成する単焦点レンズだけであった。
【０００５】
１９９０年代から利用可能になった屈折型多焦点人工眼レンズは、屈折力が異なる複数の共心（コンセントリック）又は非対称ゾーンを含んでいる。そららの難点は、それらの光学性能が瞳孔サイズに強く依存し、加えて、網膜付近での入射光の強度分布が瞳孔径の関数として（つまり、瞳孔径に応じて）滑らかには変動しないことである。
【０００６】
２０００年代に出現した回折型二焦点人工眼レンズも、読書距離（約３５〜４０ｃｍ）で対象者の網膜上に鮮明な像を形成することができたが、これらの人工眼レンズも自然なヒトの眼の水晶体の調節能力に置き換わることはできなかった。
【０００７】
今日、画面上で行われる行為がますます普及している結果として、中間距離（約６０〜８０ｃｍ）での像の質の重要性が高まってきている。２０１０年代までに広く用いられるようになってきた回折型三焦点人工眼レンズはこの要求を満たすことができる。
【０００８】
年齢が進むに連れて、ヒトの本来の水晶体の柔軟性の低下と毛様体筋の弱化の結果として眼の調節能力は低下する。この眼の加齢状態は老視（老眼）と呼ばれる。三焦点及び広焦点深度（ＥＤＯＦ）人工眼レンズが利用可能になったことにより、白内障手術以外用の人工眼レンズのインプラントは純粋に屈折型のレンズ交換を代理するだけではなく、それらの目的は調節能力を補完することにもなりうる。白内障以外の理由のために作られたインプラントは、より若年（４５〜５０歳）の活動的な年齢層を特質上巻き込んでいるので、遠距離及び近距離に加えて、作業距離（６０〜８０ｃｍ）での鮮明な視覚に対する著しい必要性がある。
【０００９】
特許文献ＵＳ５１２１９８０号（Cohen）には、０次回折次数と１次回折次数との間にくる二次ピーク（副ピーク）を、中心位相シフトゾーン（中心移相ゾーン）の最大位相ずれがλ／４（ここで、λは回折型光学素子の設計対象の光の波長）となるように光軸に垂直な方向において位相変位ゾーンをシフトさせることにより最小化しうることが記載されている。
【００１０】
特許文献ＥＰ２０４５６４８Ｂ１（Simpson et al.）は、屈折中心ゾーンを持つ屈折−回折型多焦点レンズを開示している。この中心ゾーンは遠方視（又は近方視若しくは中間視）に必要な焦点距離を有する。この解決手段の制限は、瞳孔径が中心ゾーンの直径以下の大きさである場合には、中心ゾーンが屈折型光学素子としてしか取扱うことができないことである。
【００１１】
特許文献ＵＳ２０１０／０１３１０６０Ａ１（Simpson et al.）には、屈折中心ゾーンを有し、この中心ゾーンの焦点（遠、近若しくは中間）の強度を高めた屈折−回折型多焦点レンズが記載されている。このような屈折中心ゾーンを含んでいる多焦点レンズの像形成品質（変調伝達関数、ＭＴＦ）は、遠方焦点に対して最適化される。この解決手段の制限は、瞳孔径が中心ゾーンの直径以下の大きさである場合には、中心ゾーンが屈折型光学素子としてしか取扱うことができないことである。
【００１２】
特許文献ＵＳ５３４４４４７Ａ（Swanson）は、−１次、０次、及び＋１次の回折次数を増幅させることにより三焦点を作り出す回折型バイナリー（ダマン、Dammann）表面プロファイルを記載している。この解決手段の難点は、−１次と＋１次に向けられる強度比が同一で、互いに独立して変化させることができないことである。
【００１３】
特許文献ＥＰ２５０３９６２（Ａ１）（Houbrechts et al.）は、２つの二焦点回折型表面プロファイルの組合わせを基礎とする設計方法を提示している。ここで、いわゆる第１の回折型表面プロファイルの第１の回折次数と、いわゆる第２の回折型表面プロファイルの第２の回折次数は同一である。従って、重なり合った回折型表面プロファイル内に０次、＋１次及び＋２次の回折次数により３つの焦点が作り出される。
【００１４】
特許文献ＵＳ２０１１２９２３３５（Ａ１）（Schwirgerling）は、光軸から数えて偶数番目と奇数番目の移相素子（phase shift elements）のステップの高さが変化する回折型表面プロファイルを開示する。この解決手段の別の可能な態様は、光軸から数えて偶数番目と奇数番目の移相素子のステップの高さが変化し、かつ偶数番目と奇数番目の移相素子のステップ高さを個々のアポダイゼーション関数（apodization function）により独立して変化させる回折型表面プロファイルである。このような回折型表面プロファイルも、０次、＋１次及び＋２次の回折次数を持つ三焦点光学性能を達成する。
【００１５】
特許文献ＵＳ２００７０１８２９２１Ａ１（Zhand et al.）には、従来ののこぎり刃型二焦点光学回折型表面プロファイル（眼内レンズの外側ゾーン）とバイナリー（ダマン）型三焦点光学回折型表面プロファイル（眼内レンズの内側ゾーン）の同時使用が記載されている。この解決手段の難点も、瞳孔サイズが小さい場合に−１次と＋１次の回折次数の強度比が同一であって、互いに独立して変化させることができないことである。
【００１６】
以上の最後の４つの特許文献に提案された解決手段の共通する難点は、第二の回折次数の作成が不可避の光損失と望ましくない光散乱を伴うことである。
【先行技術文献】
【特許文献】
【００１７】
【特許文献１】ＵＳ５１２１９８０
【特許文献２】ＥＰ２０４５６４８Ｂ１
【特許文献３】ＵＳ２０１０／０１３１０６０Ａ１
【特許文献４】ＵＳ５３４４４４７Ａ
【特許文献５】ＥＰ２５０３９６２Ａ１
【特許文献６】ＵＳ２０１１２９２３３５
【特許文献７】ＵＳ２００７０１８２９２１Ａ１
【発明の概要】
【００１８】
本発明の目的は、公知解決手段の欠点を少なくとも部分的に克服し、人工眼レンズとして遠方視（遠視力）に加えて中間視及び近方視も確保する多焦点人工眼レンズを作り出すことである。
【００１９】
０次と１次の回折次数の間に見られる回折性副ピーク（diffractive secondary peaks）を増強する（高める）ことにより、さらなる回折次数を作り出さずに上述した目的を満たした三焦点レンズを設計することができることが判明した。換言すると、この回折性プロファイルを持った人工眼レンズの０次回折次数は網膜上で遠方物体（対象距離：４ｍ以上）の鮮明な像を作り出し、この回折性プロファイルを持った人工眼レンズの１次回折次数は網膜上で近方物体（対象距離：３０〜４０ｃｍ）の鮮明な像を作り出し、この回折性プロファイルを持った人工眼レンズの増強された（高められた）副ピークは網膜上で中間物体（対象距離：６０〜８０ｃｍ）の鮮明な像を作り出す。
【００２０】
換言すると、本発明の対象は、前方側光学表面、後方側光学表面及び光軸を含む三焦点（多焦点）人工眼レンズであって、前方側光学表面と後方側光学表面の少なくとも一方は、３つの有用な焦点と少なくとも部分的に回折性のプロファイルを有する１つの光学要素（optics）を含んでいる人工眼レンズに関する。本発明の特徴は、前記３つの有用な焦点が、前記回折性プロファイルの０次及び１次の回折次数に属する（２つの）焦点と、０次回折次数に属する焦点と１次回折次数に属する焦点との間にある、高められた回折性副ピークに属する（１つの）焦点とにより実現されることである。
【００２１】
本発明の対象はまた、上記人工眼レンズを製造することができる方法にも関する。
【図面の簡単な説明】
【００２２】
【図１】本発明の１態様の略式側面図を示す。
【図２】中心ゾーン（中央部）の最大移相ずれが５／８λである場合の、のこぎり刃形の非アポダイズ回折性プロファイルにより生じた移相ずれの変化を、光軸から測定した距離に対して示す図。
【図３】中心ゾーンの最大移相ずれが３／４λである場合の、のこぎり刃形の非アポダイズ回折性プロファイルにより生じた移相ずれの変化を、光軸から測定した距離に対して示す図。
【図４】図２に示された回折性プロファイルを含んでいる人工眼レンズの変調伝達関数（ＭＴＦ）を、５０ lines／mmの一定空間周波数の場合について示す図。
【図５】図３に示された回折性プロファイルを含んでいる人工眼レンズの変調伝達関数（ＭＴＦ）を、５０ lines／mmの一定空間周波数の場合について示す。
【図６】開口径（即ち、瞳孔サイズ）が異なる以外は、図４と同様の図。
【図７】開口径（即ち、瞳孔サイズ）が異なる以外は、図５と同様の図。
【図８】開口径（即ち、瞳孔サイズ）が異なる以外は、図４と同様の図。
【図９】開口径（即ち、瞳孔サイズ）が異なる以外は、図５と同様の図。
【発明を実施するための形態】
【００２３】
本発明に記載した人工眼レンズは、水晶体嚢、毛様溝若しくは前眼房に移植される人工眼内レンズであってもよく、又はコンタクトレンズであってもよく、或いはインレー若しくはアンレー技術を用いて角膜に移植できる人工レンズであってもよいので、ここに開示した態様は上記のいずれの位置においても使用しうる。
【００２４】
図１は、本発明の１態様の略式側面図であり、本図において、人工眼レンズ２０は前方光学表面２１と後方光学表面２２とを含んでいる。前方光学表面２１と後方光学表面２２は１つの共通の光軸２３を持ち、後方光学表面２２は回折性プロファイル２５を備えた多焦点光学要素２４として形づくられている。移植（インプラント）可能な人工レンズを図示しているので、本態様はハプティク２６をも備えている。
【００２５】
１好適態様において、回折性プロファイル２５の中心ゾーン２７の最大位相ずれ（maximum phase shift）はλ／２より大きく、３／４λより小さい。ここで、λはこの回折型光学素子の作用の設計対象である光の波長である。
【００２６】
図２は、中心ゾーン２７の最大移相ずれが５／８λである場合の、のこぎり刃形の回折性プロファイル２５の位相ずれ（位相シフト）を、光軸２３から測定した距離の関数として示す。ここで、位相ずれとは、回折性プロファイルの基点３０ａにより定められる基底（ベース）に対する位相ずれを意味する。図示の回折性プロファイル２５は非アポダイズである。換言すると、中心ゾーン２７の外側の複数の移相ゾーン（位相シフト用ゾーン）２８の高さはそれぞれ同一である。本図の破線は元のプロファイルを示し、実線は本発明に係る変調を示す。元のプロファイルは、それ自体公知の慣用の二焦点レンズの回折性構造を示し、この場合、二焦点性は、個々のゾーンの最大移相ずれがλ／２であることにより確保される。一方、個々のゾーンのゾーン境界間の面積（エリア）２９’は同一サイズである。換言すると、当業者には文献から公知のごとく、元のプロファイル２７’の中心ゾーン２７’の外側の複数の移相ゾーン２８’の面積２９’は中心ゾーン２７’により画定される面積２９’と同じである。本発明に係る回折性プロファイルにおける中心ゾーン２７の基点３０ａ（その基点３０ａは１つだけを表示）を結んでいるアーク（弧）は、元のプロファイルの中心ゾーン２７’の基点３０ａ’を結んでいるアークに平行であり、移相ゾーン２８のゾーン境界間の面積２９は元のプロファイルの中心ゾーン２７’が占める面積２９’と同一サイズである。
【００２７】
図３は、中心ゾーン２７の最大移相ずれが３／４λである場合の、のこぎり刃形の非アポタイズ型回折性プロファイル２５の位相ずれを、光軸２３から測定した距離の関数として示す。ここで位相ずれとは、回折性プロファイルの基点３０ａにより決まる基底に対する位相ずれを意味する。本図の破線は元の（慣用の二焦点）プロファイルを示し、実線は本発明に係る変調を示す。
【００２８】
残りの図は、図２及び図３に従った態様に属する光学性能（変調伝達関数、ＭＴＦ）を、慣用の二焦点プロファイルの光学性能と比較して示す。本発明に係る回折性プロファイル２５に属するＭＴＦ曲線は実線で、慣用の二焦点プロファイルに属するＭＴＦ曲線は破線で示す。これらのＭＴＦ曲線は、対象距離の変化に応じて像形成の質がいかに変化するかを示している。各種の異なる開口（アパーチャ）で得られたＭＴＦ曲線が開口径及び強度分布に一緒に依存して焦点深度により求められる。
【００２９】
図４は、開口が３.０ｍｍで空間周波数が５０ lines／mmの場合の、図２に示した回折性プロファイル２５を含んでいる人工眼レンズの光学性能の変化を示し、これは変調伝達関数（ＭＴＦ）の変化を焦点から測定された距離の関数として記述している。
【００３０】
図５は、開口が３.０ｍｍで空間周波数が５０ lines／mmの場合の、図３に示した回折性プロファイル２５を含んでいる人工眼レンズの光学性能（ＭＴＦ）の変化を、焦点から測定された距離の関数として示す。
【００３１】
図６は、開口が２.５ｍｍで空間周波数が５０ lines／mmの場合の、図２に示した回折性プロファイル２５を含んでいる人工眼レンズの光学性能（ＭＴＦ）の変化を、焦点から測定された距離の関数として示す。
【００３２】
図７は、開口が２.５ｍｍで空間周波数が５０ lines／mmの場合の、図３に示した回折性プロファイル２５を含んでいる人工眼レンズの光学性能（ＭＴＦ）の変化を、焦点から測定された距離の関数として示す。
【００３３】
図８は、開口が２.０ｍｍで空間周波数が５０ lines／mmの場合の、図２に示した回折性プロファイル２５を含んでいる人工眼レンズの光学性能（ＭＴＦ）の変化を、焦点から測定された距離の関数として示す。
【００３４】
図９は、開口が２.０ｍｍで空間周波数が５０ lines／mmの場合の、図３に示した回折性プロファイル２５を含んでいる人工眼レンズの光学性能（ＭＴＦ）の変化を、焦点から測定された距離の関数として示す。
【００３５】
上述した図４〜９からは、光学性能曲線が前記２つの主要極大の間に局所的なサイド極大をも有していて、それをまた中間（中間距離）視の焦点３３を生ずるように増強することができ、それにより三焦点光学要素を作り出すことが可能となることがわかる。
【００３６】
回折性プロファイルを含んでいる人工眼レンズの０次及び１次の回折次数に属する焦点３１と３２の間にくる中間視焦点３３を増強する１つの可能な手法は、０次及び１次の回折次数の各サイド極大を増強し、同時にそれらの建設的（強め合う）干渉を確保することである。本発明の本質は、０次回折次数に属する焦点３１のサイド極大及び１次回折次数に属する焦点３２のサイド極大を増強し、同時に中心ゾーン２７の最大位相ずれをλ／２より上に増大させる（高める）ことによってこれらサイド極大の建設的干渉を確保するような回折性プロファイル２５を作り出すことである。
【００３７】
回折性プロファイル２５の中心ゾーン２７の位相ずれをλ／２より上に高める１つの可能な方法は、中心ゾーン２７の境界をつなげるアークは未変化のままとして中心ゾーン２７の外側の複数の移相ゾーン２８はシフトさせるように回折性プロファイル２５の中心ゾーン２７を増大させる一方で、中心ゾーン２７の外側で複数の移相ゾーン２８のゾーン境界の間の面積２９（即ち、個々の移相ゾーン２８の基点３０ｂにより定められるリングの面積）は未変化のままとなる、換言すると、移相ゾーン２８に特有の追加のジオプトリー度数は未変化のままとなる、ようにすることである。換言すると、中心ゾーン２７の面積は、その外側の移相ゾーン２８の面積２９に対比して増大させ、前移相ゾーン２８の面積は未変化のままとし、慣用の二焦点プロファイルの場合と同じものにとどめる。換言すると、中心ゾーン２７は個々の移相ゾーン２８より大きな面積を占めるが、中心ゾーン２７のアークは、λ／２の位相ずれを与え、かつ個々の移相ゾーン２８の面積２９と同じサイズである面積２９’の境界を定めている理論的中心ゾーン２７’のアークと同じである。中心ゾーン２７のアーク及び理論的中心ゾーン２７’のアークは、それぞれ中心ゾーン２７の表面に沿ったアーク及び理論的中心ゾーン２７’の表面に沿ったアークを意味するものである。これらのアークはそれぞれ、２つの基点３０ａ及び３０ａ’（それぞれ中心ゾーン２７及び理論的中心ゾーン２７’の両側に位置する）を結びつける光軸と交差しており、この２つの基点は光軸を最短経路で通過する直線上にくる。
【００３８】
本発明に係る回折性プロファイル２５の設計も従って起こりうる。その出発点は、理論的中心ゾーン２７’及びその外側の理論的移相ゾーン２８’を有する理論的な慣用の二焦点回折性プロファイルであり、理論的移相ゾーン２８’のゾーン境界間のエリア（面積）２９’の大きさは、理論的中心ゾーン２７’により境界が定まるエリア２９’の大きさと同じである。理論的回折性プロファイルの場合、少なくとも理論的中心ゾーン２７’の位相ずれはλ／２であるが、本例の場合、初期の理論的回折性プロファイルの全ての移相ゾーン２８’の位相ずれはλ／２である。この理論的二焦点回折性プロファイルの２つの有用な焦点は、これら０次及び１次の回折次数に属する２つの有用な焦点が、製造すべき人工眼レンズの回折性プロファイル２５の０次及び１次の回折次数に属する焦点３１、３２（本例の場合、この焦点３１、３２は無限大に設定された遠方焦点と約３０ｃｍに設定された近方焦点である）と実質的に一致するように選択される。このような慣用の二焦点回折性プロファイルは、従来技術の文献から採用した設計値に基づいて容易に設計することができる。この理論的二焦点回折性プロファイルに比べて、中心ゾーン２７の位相ずれはλ／２より大きく増大させるが、中心ゾーン２７の基点３０ａを結んでいるアークは変化させずに維持する。換言すると、中心ゾーン２７は光軸に垂直な方向に増大させるが、その増大は、それまでは中心ゾーン２７の境界を定め、その基点３０ａを結んでいるアーク（光軸を通過する）が理論的中心ゾーン２７’の基点３０ａ’を結んでいるアーク（やはり光軸を通過する）に平行なままとなるようにする。その一方で、中心ゾーン２７の外側の複数の移相ゾーン２８は、移相ゾーン２８のゾーン境界間の面積（エリア）２９が変化しないままとなるように光軸２３に垂直な方向にシフトさせる。
【００３９】
図５、７、９を図４、６、８と比べると、位相ずれのより大きな増大により、口径（開口）が３.０及び２.５ｍｍの場合にはより顕著な中間視焦点を生じ、また瞳孔径が小さい場合には有意に広がった焦点深度を生じたが、その効果は慣用の二焦点レンズの場合は全く現れなかったことを判定することができる。小さな瞳孔径の場合に現れる中間距離焦点及び広がった焦点深度は、中心ゾーン２７の最大位相ずれが約３／４λである場合に特に顕著であることが認められたが、中心ゾーン２７の最大位相ずれがλ／２より大きく、λより小さい場合にはいずれにおいても慣用の二焦点プロファイルに対する改善が認められうる。０.５２λの値の最大位相ずれで既に、上記効果はユーザーがレンズの光学性能の改善に気づくようになる程度となる。好ましくは、回折性プロファイル２５の中心ゾーン２７の最大位相ずれは０.５２λ〜０.８λの範囲内であり、特に好ましくは、５／８λ〜３／４λの範囲内である。
【００４０】
本発明の性能は、中心ゾーン２７の外側の回折性プロファイル２５の特性により制限されない。中心ゾーン２７の外側の回折性プロファイル２５は、アポダイズされていても、非アポダイズのものでもよく、回折性プロファイル２５に外側の純屈折性領域を取り付けることもできる。中心ゾーン２７の外側の回折性プロファイル２５をアポダイズしたい場合には、設計段階で、中心ゾーン２７’の最大位相ずれがλ／２であり続けるが中心ゾーン２７’の外側の理論的移相ゾーン２８’はアポダイズされる、換言すると、それらの最大位相ずれは変動する（増大又は低減する）ような理論的的二焦点回折性プロファイルから出発することが好ましい。
【００４１】
本発明に基づいて、任意の２つの引き続く回折次数（例えば、＋１次次数と＋２次次数のような）の間で起こるサイド極大を高めることにより三焦点光学性能を持ったレンズを作り出す回折性プロファイルも実現しうる。
【００４２】
本発明のさらなる利点は、三焦点光学性能にに加えて、図面に示した回折性プロファイル２５を含んでいる人工眼レンズは、図８及び９に見られうるように、明所視条件で起こる小さな瞳孔径の場合の広焦点深度の光学性能（２.０ｍｍ開口の場合に測定されたスルーフォーカス（through-focus）曲線）も確保できることである。
【図１】
2021511845.tif 000003
【図２】
2021511845.tif 000004
【図３】
2021511845.tif 000005
【図４】
2021511845.tif 000006
【図５】
2021511845.tif 000007
【図６】
2021511845.tif 000008
【図７】
2021511845.tif 000009
【図８】
2021511845.tif 000010
【図９】
2021511845.tif 000011
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
前方側光学表面（２１）、後方側光学表面（２２）及び光軸（２３）を含む三焦点人工眼レンズ（２０）であって、前方側光学表面（２１）と後方側光学表面（２２）の少なくとも一方は、３つの有用な焦点と少なくとも部分的に回折性プロファイルとを有する１つの光学要素を含んでいる人工眼レンズにおいて、前記３つの有用な焦点が、前記回折性プロファイルの０次及び１次の回折次数に属する焦点（３１、３２）と、０次回折次数と１次回折次数に属する各焦点（３１、３２）の間での高められた回折性副極大に属する１つの焦点（３３）とに対応することを特徴とする、三焦点人工眼レンズ。
【請求項２】
回折性プロファイル（２５）の中心ゾーン（２７）の最大位相ずれがλ／２より大きくなるように前記副極大が高められ、ここで、位相ずれとは、回折性プロファイル（２５）の中心ゾーンの基点（３０ａ）により定められる基底に対する位相のずれを意味する、請求項１に記載の人工眼レンズ。
【請求項３】
複数の移相ゾーン（２８）のゾーン境界間の個々の面積（２９）は大きさが同じであり、前記回折性プロファイルの中心ゾーン（２７）の基点（３０ａ）を結んでいる第１のアークは、この第１のアークに平行な第２のアークを有し、λ／２の最大位相ずれを有する理論的中心ゾーン（２７’）により境界が定められる面積（２９’）が個々の移相ゾーン（２８）が占める面積（２９）と同じになるように選択されることを特徴とする、請求項２に記載の人工眼レンズ。
【請求項４】
中心ゾーン（２７）の最大位相ずれがλ／２より大きく、λより小さいことを特徴とする、請求項２又は３のいずれか１項に記載の人工眼レンズ。
【請求項５】
中心ゾーン（２７）の最大位相ずれがλ／２より大きく、３／４λ以下であることを特徴とする、請求項２又は３のいずれか１項に記載の人工眼レンズ。
【請求項６】
前記中心ゾーン（２７）の外側の回折性プロファイルがアポダイズされていることを特徴とする、請求項２〜５のいずれか１項に記載の人工眼レンズ。
【請求項７】
周辺の純粋に屈折性の部分が前記回折性プロファイル（２５）につながっていることを特徴とする、請求項２〜５のいずれか１項に記載の人工眼レンズ。
【請求項８】
前方側光学表面（２１）、後方側光学表面（２２）及び光軸（２３）を含んでいる人工眼レンズである三焦点人工眼レンズ（２０）であって、前記前方側光学表面（２１）と後方側光学表面（２２）の少なくとも一方は、３つの有用な焦点（遠方視、中間視及び近方視の焦点）と少なくとも部分的に回折性プロファイルとを有する１つの光学要素を含んでいる三焦点人工眼レンズの製造方法であって、前記遠方視焦点及び近方視焦点が前記回折性プロファイルの０次及び１次の回折次数に属する焦点（３１、３２）に対応し、前記中間視焦点が０次回折次数と１次回折次数に属する各焦点（３１、３２）の間の高められた回折性副極大に属する焦点（３３）に対応するように前記回折性プロファイルを形づくることを特徴とする方法。
【請求項９】
λ／２より大きな最大位相ずれ（ここで、位相ずれとは、回折性プロファイルの基点（３０ａ）により定められる基底に対する位相のずれを意味する）で回折性プロファイルの中心ゾーン（２７）を作成することにより前記回折性副極大を高めることを特徴とする、請求項８に記載の方法。
【請求項１０】
１つの理論的中心ゾーンとその外側の複数の理論的移相ゾーンとを有し、該複数の理論的移相ゾーンのゾーン境界間の面積の大きさが理論的中心ゾーンにより境界が定まる面積の大きさと同じである二焦点理論的回折性プロファイルから出発して、この理論的中心ゾーンの最大位相ずれはλ／２であり、前記理論的回折性プロファイルの０次及び１次の回折次数に属する２つの有用な焦点が、製造すべき人工眼レンズの回折性プロファイル（２５）の０次及び１次の回折次数に属する焦点（３１、３２）と実質的に一致するように前記回折性プロファイルを設計し、かつ、前記回折性プロファイル（２５）の中心ゾーン（２７）を、前記理論的中心ゾーンに比べて、前記中心ゾーン（２７）の境界を結んでいる第１のアークが理論的中心ゾーンの第２のアークに平行に保持されるようにして該中心ゾーンの位相ずれがλ／２より大きくなるように増大させ、この中心ゾーンの外側の複数の移相ゾーン（２８）は、理論的移相ゾーンに比べて、移相ゾーン（２８）のゾーン境界間の面積が変化しないままとなるように光軸（２３）に垂直な方向にシフトさせることを特徴とする、請求項９に記載の方法。
【請求項１１】
前記中心ゾーン（２７）の最大位相ずれを、λ／２より大きく、λより小さくなるようにすることを特徴とする、請求項９又は１０のいずれか１項に記載の方法。
【請求項１２】
前記中心ゾーン（２７）の最大位相ずれを、０.５２λ〜０.８λの範囲内に入るようにすることを特徴とする、請求項９又は１０のいずれか１項に記載の方法。
【手続補正２】
【補正対象書類名】明細書
【補正対象項目名】０００９
【補正方法】変更
【補正の内容】
【０００９】
特許文献ＵＳ５１２１９８０号（Cohen）には、０次回折次数と１次回折次数との間にくる副極大を、中心位相シフトゾーン（中心移相ゾーン）の最大位相ずれがλ／４（ここで、λは回折型光学素子の設計対象の光の波長）となるように光軸に垂直な方向において位相変位ゾーンをシフトさせることにより最小化しうることが記載されている。
【手続補正３】
【補正対象書類名】明細書
【補正対象項目名】００１９
【補正方法】変更
【補正の内容】
【００１９】
０次と１次の回折次数の間に見られる回折性副極大（diffractive subsidiary maximums）を増強する（高める）ことにより、さらなる回折次数を作り出さずに上述した目的を満たした三焦点レンズを設計することができることが判明した。換言すると、この回折性プロファイルを持った人工眼レンズの０次回折次数は網膜上で遠方物体（対象距離：４ｍ以上）の鮮明な像を作り出し、この回折性プロファイルを持った人工眼レンズの１次回折次数は網膜上で近方物体（対象距離：３０〜４０ｃｍ）の鮮明な像を作り出し、この回折性プロファイルを持った人工眼レンズの増強された（高められた）副極大は網膜上で中間物体（対象距離：６０〜８０ｃｍ）の鮮明な像を作り出す。
【手続補正４】
【補正対象書類名】明細書
【補正対象項目名】００２０
【補正方法】変更
【補正の内容】
【００２０】
換言すると、本発明の対象は、前方側光学表面、後方側光学表面及び光軸を含む三焦点（多焦点）人工眼レンズであって、前方側光学表面と後方側光学表面の少なくとも一方は、３つの有用な焦点と少なくとも部分的に回折性のプロファイルを有する１つの光学要素（optics）を含んでいる人工眼レンズに関する。本発明の特徴は、前記３つの有用な焦点が、前記回折性プロファイルの０次及び１次の回折次数に属する（２つの）焦点と、０次回折次数に属する焦点と１次回折次数に属する焦点との間にある、高められた回折性副極大に属する（１つの）焦点とにより実現されることである。
【手続補正５】
【補正対象書類名】明細書
【補正対象項目名】００３５
【補正方法】変更
【補正の内容】
【００３５】
上述した図４〜９からは、光学性能曲線が前記２つの主要極大の間に局所的な副極大をも有していて、それをまた中間（中間距離）視の焦点３３を生ずるように増強することができ、それにより三焦点光学要素を作り出すことが可能となることがわかる。
【手続補正６】
【補正対象書類名】明細書
【補正対象項目名】００３６
【補正方法】変更
【補正の内容】
【００３６】
回折性プロファイルを含んでいる人工眼レンズの０次及び１次の回折次数に属する焦点３１と３２の間にくる中間視焦点３３を増強する１つの可能な手法は、０次及び１次の回折次数の各副極大を増強し、同時にそれらの建設的（強め合う）干渉を確保することである。本発明の本質は、０次回折次数に属する焦点３１の副極大及び１次回折次数に属する焦点３２の副極大を増強し、同時に中心ゾーン２７の最大位相ずれをλ／２より上に増大させる（高める）ことによってこれら副極大の建設的干渉を確保するような回折性プロファイル２５を作り出すことである。
【手続補正７】
【補正対象書類名】明細書
【補正対象項目名】００４１
【補正方法】変更
【補正の内容】
【００４１】
本発明に基づいて、任意の２つの引き続く回折次数（例えば、＋１次次数と＋２次次数のような）の間で起こる副極大を高めることにより三焦点光学性能を持ったレンズを作り出す回折性プロファイルも実現しうる。
【国際調査報告】
2021511845.tif 000012
2021511845.tif 000013